(57)【特許請求の範囲】
【請求項１】
略円形状のバッグ本体と、
３本の帯状体であって、各々は前記バッグ本体に両端部でつながっている、帯状体と
を備え、
前記３本の帯状体は、前記バッグ本体の周囲に前記バッグ本体の略中心に対して１２０°に位置付けられて周方向にずれるように設けられており、
前記３本の帯状体の各々には、２つの肩掛け部が設けられている、リュックサック。
【請求項２】
前記３本の帯状体は、非交差の状態で、前記バッグ本体につなげられている、
請求項１に記載のリュックサック。
【請求項３】
前記３本の帯状体の各々は、長さ調節可能に構成されている、
請求項１又は２に記載のリュックサック。
【発明の詳細な説明】
【技術分野】
【０００１】
本発明は、体の背側から前側へ又はその前側から背側へのバッグ本体の移動を容易に可能にするとともに両肩に掛けて保持することに適するリュックサックに関する。
【背景技術】
【０００２】
従来、リュックサックは、２本の肩ベルトを両肩に掛けて背負うのを基本の使用態様とするものである。しかし、近年、電車内などにおいて、リュックサックが他人に不快感等をもたらさないように、肩ベルトを逆にかけてリュックサックのバッグ本体を体の前側に位置付けてリュックサックを保持することが行われるようになってきている。例えば、体の前側にリュックサックのバッグ本体を位置付けたときの利便性を高めるための一提案が特許文献１に開示されている。
【先行技術文献】
【特許文献】
【０００３】
【特許文献１】特開２０１１−３６４０１号公報
【発明の概要】
【発明が解決しようとする課題】
【０００４】
通常、バッグ本体を体の背側から前側に移動するとき、両肩の肩ベルトを外し、背負っていたリュックサックを手に持ち、前側に位置付けてから肩ベルトを両肩に掛けることが行われる。この動作を行うことは、混雑している電車内では不向きであり、またリュックサック以外に手荷物を更に有している場合には容易でない。
【０００５】
そこで、本発明は、上記課題に鑑みてなされたものであり、その目的は、ユーザの体の背側から前側へ又はその前側から背側へのバッグ本体の移動を容易に可能にするとともに、バッグ本体が背側に位置するときでも前側に位置するときでも両肩に掛けて保持することを可能にするリュックサックを提供することにある。
【課題を解決するための手段】
【０００６】
上記目的を達成するために、本発明の一態様は、
バッグ本体と、
３本の帯状体であって、各々は前記バッグ本体に両端部でつながっている、帯状体と
を備え、
前記３本の帯状体は、前記バッグ本体の周囲に周方向にずれるように設けられている、
リュックサック
を提供する。
【０００７】
好ましくは、前記３本の帯状体は、非交差の状態で、前記バッグ本体につなげられている。
【０００８】
好ましくは、前記３本の帯状体の各々は、長さ調節可能に構成されている。
【０００９】
好ましくは、前記３本の帯状体の各々には、肩掛け部が設けられている。
【発明の効果】
【００１０】
本発明の一態様に係る上記リュックサックによれば、上記構成を備えるので、ユーザの体の背側から前側へ又はその前側から背側へのバッグ本体の移動を容易に可能にするとともに、バッグ本体が背側に位置するときでも前側に位置するときでもユーザは両肩に掛けてそれを保持することが可能になる。
【図面の簡単な説明】
【００１１】
【図１】本発明の一実施形態に係るリュックサックの概略構成図である。
【図２】図１のリュックサックを、そのバッグ本体を体の背側に位置付けて保持するところを表す図である。
【図３】図１のリュックサックを、そのバッグ本体を体の前側に位置付けて保持するところを表す図である。
【発明を実施するための形態】
【００１２】
以下、本発明に係る実施形態を添付図に基づいて説明する。同一の部品（又は構成）には同一の符号を付してあり、それらの名称及び機能も同じである。したがって、それらについての詳細な説明は繰り返さない。
【００１３】
本発明の一実施形態に係るリュックサック１０を図１に基づいて説明する。図１では、ユーザＵがリュックサック１０を背負うときにユーザＵの背中に接する面が紙面奥側に位置しかつ紙面に略平行に延びるように、リュックサック１０を表している。
【００１４】
リュックサック１０は、バッグ本体１２と、３本の帯状体１４とを備える。バッグ本体１２には、３本の帯状体１４の各々がその両端部でつながっている。
【００１５】
図１において、バッグ本体１２は、ここでは略円形状を有する。しかし、図１の状態において、バッグ本体１２は略三角形、略四角形などの種々の形状を有してもよい。バッグ本体１２は収容袋であり、内部の収容空間の開口部を開閉するための開閉用部材としてのファスナー１６を有する。更に、バッグ本体１２には、ファスナー１６を上側にしてバッグ本体１２を持つことを容易にするように取っ手部１８が設けられている。ここでは取っ手部１８はファスナー１６の近傍に設けられている。
【００１６】
３本の帯状体１４は、それぞれ肩ベルトとして機能することができるように構成されていて、同じ構成を有する。したがって、特に断らない限り、１つの帯状体１４について説明する。
【００１７】
帯状体１４は、その両端がバッグ本体１２に取り付けられていて、より具体的には固定されている。帯状体１４は、長さ調節可能に構成されていて、ここでは接続部材２０を有する。つまり、帯状体１４は２つの帯状片部２２ａ、２２ｂを有し、これら帯状片部２２ａ、２２ｂを接続部材２０で接続することで一本の帯状部分として実質的に構成されている。接続部材２０としては、長さ調節可能な種々の構成の部材を採用することができる。ここでは、接続部材２０はバックルであり、一方の帯状片部（以下、第１帯状片部）２２ａの自由端に設けられ、他方の帯状片部（以下、第２帯状片部）２２ｂの自由端側を種々の位置で保持することができるように構成されている。図１では、第１帯状片部２２ａの接続部材２０からはみ出した、第２帯状片部２２ｂの余った部分２２ｃが突き出すように表されている。
【００１８】
帯状体１４には、２つの肩掛け部としての２つのパッド２４が設けられている。パッド２４は、ここでは筒状の部材である。パッド２４は帯状片部２２ａ、２２ｂをその内側に通すように設けられている。図１では、パッド２４によりカバーされていないところに、接続部材２０が位置付けられて露出している。しかし、接続部材２０は、パッド２４にカバーされてもよい。２つのパッド２４のそれぞれの一端部は、バッグ本体１２に固定されてもよい。なお、パッド２４は、筒状の部材であることに限定されず、例えばシート状の部材であってもよく、この場合帯状片部２２ａ、２２ｂに面ファスナーなどで着脱可能にされてもよい。また、パッド２４は、帯状体１４と一体的に構成されて、帯状体１４の一部をなしてもよい。
【００１９】
上記構成を有する帯状体１４は、上述のように、バッグ本体１２にその両端部で接続されるように取り付けられている。そして、３本の帯状体１４はバッグ本体１２の周囲に設けられている。ここでは、図１に示すように、３本の帯状体１４は、バッグ本体１２の周囲に周方向にずれるように設けられている。特にここでは、３本の帯状体１４は、交差しないようにつまり非交差の状態で、バッグ本体１２に設けられている。より具体的には、３本の帯状体１４の各々は、図１においてバッグ本体１２の略中心に対して約１２０°の範囲に位置付けられ、隣の帯状体１４から周方向に約１２０°ずれるように設けられている。図１では、この説明の理解を助けるために、参考までに中心線を表している。
【００２０】
以下、上記構成を有するリュックサック１０の作用及び効果について説明する。
【００２１】
ここで説明のために、３本の帯状体１４を、図１において右上の帯状体１４から時計周りに第１帯状体１４ａ、第２帯状体１４ｂ及び第３帯状体１４ｃとする。図２に示すように、ユーザＵは、リュックサック１０を背負うとき、つまり体の背側にバッグ本体１２を位置付けて保持するとき、２本の帯状体１４を、ここでは第１帯状体１４ａ及び第３帯状体１４ｃを両肩に掛けることができる。図２では、ユーザＵは、右肩ＵＲに第１帯状体１４ａを掛け、左肩ＵＬに第３帯状体１４ｃを掛けて、背中にバッグ本体１２を密着させている。より詳しくは右肩ＵＲには第１帯状体１４ａの第２帯状片部２２ｂの周囲に位置するパッド２４が当接するように第１帯状体１４ａが掛けられ、左肩ＵＬには第３帯状体１４ｃの第１帯状片部２２ａの周囲に位置するパッド２４が当接するように第３帯状体１４ｃが掛けられている。このように、肩に掛ける帯状体１４に応じて、そこに備えられた２つのパッド２４のうちのいずれか一方のパッド２４が肩掛けに使用される。なお、このとき、図２では、余った第２帯状体１４ｂはユーザＵの腰の辺りに位置してバッグ本体１２にぶら下がっている。しかし、第２帯状体１４ｂの接続部材２０を外して、第２帯状体１４ｂをユーザＵの胴体に回してもよい。
【００２２】
ここで、図２の状態から、ユーザＵが、リュックサック１０のバッグ本体１２を体の前側に位置付ける動作を説明する。まず、ユーザＵは片方の肩に掛かっている帯状体１４を外す。ここでは、ユーザＵは左肩ＵＬに掛かっている第３帯状体１４ｃを左肩ＵＬから外すとして更に説明する。
【００２３】
こうして、ユーザＵの右肩ＵＲにのみ第１帯状体１４ａが掛けられた状態で、ユーザＵはその右肩を中心にしてリュックサック１０を回すことができる。これにより、バッグ本体１２を背側から前側つまり腹側に移動させることができる。この状態で、ユーザＵは、左肩ＵＬの近くに位置することになった第２帯状体１４ｂを左肩ＵＬに掛けることができる。こうして、ユーザＵは、バッグ本体１２を前側に位置付けた状態で、第１及び第２帯状体１４ａ、１４ｂを両肩に掛けて、リュックサック１０を保持することができる。図３は、こうしてユーザＵの前側に保持されることになったリュックサック１０を示す。
【００２４】
なお、ユーザＵが体の前側に位置するリュックサック１０（図３参照）を、背側に移動させる場合は、上記動作と逆の動作が行われ得る。
【００２５】
要するに、リュックサック１０は、上記バッグ本体１２と、上記３本の帯状体１４とを備え、それらの帯状体１４は、バッグ本体１２の周囲に周方向にずれるように設けられている。したがって、体の背側から前側へ又はその前側から背側へのリュックサック１０の移動のとき、ユーザＵは、一方の肩に掛かる帯状体１４をその肩から外して他方の肩の周りにバッグ本体１２を回して、更なる帯状体をその一方の肩に掛けることを行うことができる。これだけの動作で、リュックサック１０のバッグ本体１２の前側と背側との間での移動が容易に行われ得る。そして、ユーザＵは、バッグ本体１２が背側に位置するときでも前側に位置するときでも両肩に帯状体１４を掛けることができ、よってリュックサック１０をしっかりと保持することができる。
【００２６】
また、３本の帯状体１４は、非交差の状態で、バッグ本体１２に設けられている。したがって、それぞれを独立して肩に掛けたり胴体に巻きつけたりすることが容易に可能になる。
【００２７】
また、３本の帯状体１４の各々は、接続部材２０を有し、長さ調節可能に構成されている。したがって、ユーザの体に合わせた長さに各帯状体１４の長さを調節することができる。また、既に説明したように、これにより、例えばユーザＵの胴体への帯状体１４の巻き付けなどが容易に可能になる。
【００２８】
更に、３本の帯状体１４の各々には、２つの肩掛け部としての２つのパッド２４が設けられている。したがって、ユーザＵは、リュックサック１０の上下を特段気にすることなく、リュックサック１０を手に取り背負ったり前側に保持したりすることができる。
【００２９】
なお、上記リュックサック１０では、全ての帯状体１４に、２つのパッド２４が設けられていた。しかし、各帯状体１４に設けられるパッド２４は、２つに限定されず、１つであってもよい。例えば、図２及び図３で示したようにリュックサック１０が用いられるとき、第２帯状体１４ｂの第１帯状片部２２ａのパッド２４と、第３帯状体１４ｃの第２帯状片部２２ｂのパッド２４とは用いられないので、これらのパッド２４は取り除かれてもよく、或いは、始めから設けられなくてもよい。つまり、このとき、１つの帯状体１４ａには２つのパッド２４が設けられ、他の２つの帯状体１４ｂ、１４ｃにはたった１つのパッド２４が設けられる。このとき、ファスナー１６は、たった１つのパッド２４が設けられている帯状体１４ｂ、１４ｃ側ではなく、２つのパッド２４が設けられている帯状体１４ａ側に位置付けられているとよい。これは、図２及び図３において、ファスナー１６がリュックサック１０の上側に位置していて、バッグ本体１２内の荷物が外に出難くなっていることから理解できよう。
【００３０】
以上、本発明の代表的な実施形態及び変形例について説明したが、本発明はそれらに限定されない。本願の特許請求の範囲によって定義される本発明の精神及び範囲から逸脱しない限り、種々の置換、変更が可能である。
【００３１】
例えば、各帯状体１４が使われていないときそれを収納可能なように、バッグ本体に帯状体１４の収容部を設けてもよい。また、本発明に係るリュックサックは、４本以上の帯状体１４を有してもよい。この場合も、上記３本の帯状体１４のように帯状体１４は相互に関係付けられて構成されているとよい。更に、１つの帯状体１４には３つ以上のパッド２４が設けられてもよい。なお、各帯状体１４にパッド２４は設けられなくてもよい。
【符号の説明】
【００３２】
１０  リュックサック
１２  バッグ本体
１４  帯状体
１４ａ  第１帯状体
１４ｂ  第２帯状体
１４ｃ  第３帯状体
１６  ファスナー
１８  取っ手部
２０  接続部材
２２ａ、２２ｂ  帯状片部
２４  パッド
【図１】
0006908813.tif 000002
【図２】
0006908813.tif 000003
【図３】
0006908813.tif 000004